(57)【要約】【課題】メールデータ、画像ファイル等、選択可能な複数の項目をユーザが容易に選択することができる電子機器を提供する。【解決手段】電子機器１０は、ディスプレイ１４２に、ユーザが選択可能な複数の項目（第１項目２０１〜第６項目２０６）を表示する。これら複数の項目のうちの１の項目が選択状態である場合に、他の項目を指定する操作が一定時間を超える長押し操作であるか、一定時間に満たないタップ操作であるかに応じて、選択状態または非選択状態を切り替える項目の範囲を決定する。電子機器１０は、長押し操作を受け付けた場合、一定の範囲の項目を選択状態に切り替え、タップ操作を受け付けた場合、その操作により指定された項目を選択状態に切り替える。【選択図】図３
2016048445.tif 000002
【特許請求の範囲】
【請求項１】
電子機器であって、
操作画面を表示するためのディスプレイと、
入力受付領域に対するタッチ操作を受け付けて、前記タッチ操作が行われた位置を検出するよう構成されたタッチパネルと、
前記電子機器の動作を制御するよう構成された制御部とを備え、
前記制御部は、それぞれが選択対象となる複数の項目それぞれが順に配置されて前記ディスプレイに表示させるよう構成された項目表示部と、
前記複数の項目それぞれについて、前記項目を指定するタッチ操作を前記タッチパネルが受け付ける都度、前記指定された前記項目を選択状態または非選択状態に切り替え、前記複数の項目のうちの第１の項目が選択状態である場合に、前記第１の項目とは異なる第２の項目を指定するタッチ操作が前記タッチパネルに対し一定時間を超えてなされるか、または、前記指定するタッチ操作が一定時間に満たないものであるかを判定し、判定結果に応じて、前記選択状態または前記非選択状態を切り替える項目を、前記第２の項目のみとするか、または、前記第１の項目と前記第２の項目との間に配置される各項目および前記第２の項目とするか、を切り替えるよう構成された選択状態変更部と、
前記複数の項目のそれぞれが前記選択状態であるか前記非選択状態であるかを区別できる態様で、前記複数の項目のそれぞれを前記ディスプレイに表示させるよう構成された選択状態表示部とを含む、電子機器。
【請求項２】
前記制御部の前記選択状態変更部は、前記第２の項目を指定するタッチ操作が前記タッチパネルに対し一定時間を超えてなされる場合に、前記第２の項目、および前記第１の項目と前記第２の項目との間に配置された前記項目を前記選択状態とし、前記第２の項目を指定するタッチ操作が前記一定時間に満たない場合に、前記選択状態に切り替える項目を前記第２の項目のみとするよう構成されている、請求項１に記載の電子機器。
【請求項３】
前記制御部は、前記操作画面において、前記選択状態にあるファイルを削除するためのタッチ操作を受け付ける領域を表示し、当該領域に対するタッチ操作を受け付けることにより、前記選択状態にあるファイルを削除するよう構成されている、請求項１または２に記載の電子機器。
【請求項４】
前記選択対象となる複数の項目それぞれは、前記電子機器の動作に伴い、逐次、記憶部に蓄積されるデータである、請求項１から３のいずれか１項に記載の電子機器。
【請求項５】
前記選択対象となる複数の項目それぞれは、前記電子機器が通信機能により受信するメールデータ、または、画像データの少なくともいずれかである、請求項４に記載の電子機器。
【発明の詳細な説明】
【技術分野】
【０００１】
本開示は、タッチパネルなどの入力受付部に対してユーザが指定する位置を入力操作として受け付ける電子機器に関し、特に、選択可能な複数の項目を容易に選択するための技術に関する。
【背景技術】
【０００２】
スマートフォン、タブレットおよびウェアラブルデバイスなどの電子機器が普及している。これら電子機器は、例えば、タッチパネルなどの入力受付部を筐体の前面に配置して、このタッチパネルに対して、ユーザが指やスタイラスペンによって指定する位置を入力操作として受け付ける。
【０００３】
電子機器は、例えば通信機能を有し、他の通信機器とメールを送受信し、受信したメールをメモリに保持する。また、電子機器は、例えばカメラモジュールを備え、カメラモジュールにより生成された画像をメモリに保持する。このように、電子機器は、逐次、ユーザの操作等に基づいてコンテンツを生成し、生成されたコンテンツをメモリに蓄積させることがある。ユーザがこれらコンテンツに対し、削除などの操作を行う場合に、複数のコンテンツをユーザが選択する必要がある。
【０００４】
ユーザが複数のコンテンツを選択する技術に関し、例えば、特開２０１２−２３０５２７号公報（特許文献１）は、複数のコンテンツを連続して順序づけて複数選択する際の操作性を向上させる技術を開示している。具体的には、特許文献１は、ユーザがコンテンツのサムネイルを視認しながら、直感的な操作により複数のコンテンツを選択させる技術を記載している。
【先行技術文献】
【特許文献】
【０００５】
【特許文献１】特開２０１２−２３０５２７号公報
【発明の概要】
【発明が解決しようとする課題】
【０００６】
特許文献１に記載された技術によると、複数のコンテンツを、タッチパネルへの一連の動作で一度に選択することが可能であるが、ユーザは、選択対象とするコンテンツをタッチ操作の経路に含める必要があるため、選択対象とするコンテンツが増えれば増えるほどコンテンツの選択に手間を要する。
【０００７】
電子機器は、メールデータ、画像データ、および電話帳データなど選択対象となる項目を複数含む情報を記憶している。そのため、選択対象となる項目を、一度に効率よく選択することを可能とすることでユーザの利便性を高める技術が必要とされている。
【０００８】
本開示は、上述のような問題点を解決するためになされたものであって、ある局面における目的は、メールデータ等、選択可能な複数の項目がある場合に、これら複数の項目をユーザが容易に選択することができる電子機器を提供することである。
【課題を解決するための手段】
【０００９】
一実施形態に従う電子機器は、操作画面を表示するためのディスプレイと、入力受付領域に対するタッチ操作を受け付けて、タッチ操作が行われた位置を検出するよう構成されたタッチパネルと、電子機器の動作を制御するよう構成された制御部とを備える。制御部は、それぞれが選択対象となる複数の項目それぞれが順に配置されてディスプレイに表示させるよう構成された項目表示部と、複数の項目それぞれについて、項目を指定するタッチ操作をタッチパネルが受け付ける都度、指定された項目を選択状態または非選択状態に切り替え、複数の項目のうちの第１の項目が選択状態である場合に、第１の項目とは異なる第２の項目を指定するタッチ操作がタッチパネルに対し一定時間を超えてなされるか、または、指定するタッチ操作が一定時間に満たないものであるかを判定し、判定結果に応じて、選択状態または非選択状態を切り替える項目を、第２の項目のみとするか、または、第１の項目と第２の項目との間に配置される各項目および第２の項目とするか、を切り替えるよう構成された選択状態変更部と、複数の項目のそれぞれが選択状態であるか非選択状態であるかを区別できる態様で、複数の項目のそれぞれをディスプレイに表示させるよう構成された選択状態表示部とを含む。
【発明の効果】
【００１０】
上記一実施形態によると、選択可能な複数の項目がある場合に、ユーザに対し、これら複数の項目を容易に選択させることができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】実施の形態１の電子機器１０の外観および構成を概略的に示す図である。
【図２】電子機器１０が、選択可能な項目をディスプレイ１４２に複数表示して、それぞれの項目の選択をユーザから受け付ける処理を示すフローチャートである。
【図３】実施の形態１の電子機器１０において、選択可能な項目をディスプレイ１４２に複数表示して、各項目の選択をユーザから受け付ける画面の表示例を示す図である。
【図４】実施の形態２の電子機器１０がメールの受信履歴に示される複数件のメールそれぞれに対する選択を受け付ける処理の画面例を示す図である。
【図５】実施の形態３の電子機器１０が複数の画像ファイルのサムネイルをディスプレイ１４２に表示して、画像ファイルの選択をユーザから受け付ける処理の画面例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜実施の形態１＞
＜機能的な構成＞
図１は、実施の形態１の電子機器１０の外観および構成を概略的に示す図である。図１（Ａ）は、電子機器１０の外観を示す図である。図１（Ｂ）は、電子機器１０の構成を示すブロック図である。電子機器１０は、例えば、ディスプレイに表示された操作画面に対し、ユーザが指やスタイラスペン等を用いてタッチパネル等の入力受付手段に対して入力操作をすることを受け付けるスマートフォン、タブレット端末、ラップトップＰＣ（Personal  Computer）その他の電子機器である。
【００１５】
電子機器１０は、メールデータ、画像データおよび電話帳データなど、ユーザがこれらデータに対し、編集、加工、削除その他の操作をする際に、操作の対象となり得る１つ以上のデータを記憶部１５０に記憶している。これらのデータに対する入力操作を受け付けるため、電子機器１０は、操作の対象となるデータを選択するための入力操作を入力受付部１４１によって検出して、これらデータを、ユーザが選択していることを示す選択状態とする。例えば、ユーザが画像ファイルをいくつかまとめて選択して削除する場合に、電子機器１０は、画像ファイルそれぞれを示す各サムネイル画像をディスプレイ１４２に表示し、ユーザからの選択操作を入力受付部１４１によって受け付ける。
【００１６】
ユーザが選択状態としたい項目が複数件ある場合、ユーザにとって、項目の選択が手間となることがある。例えばユーザが選択状態としたい項目が、画像ファイルであるとする。電子機器１０がサムネイル画像をディスプレイ１４２に表示しつつ、１つ１つの画像ファイルをユーザが入力受付部１４１へのタッチ操作によって選択するとした場合、選択状態としたい画像ファイルが増えるほど、１つ１つの画像ファイルをユーザが選択する必要があり、ユーザの手間が増えることとなる。
【００１７】
そこで、以下の実施形態の説明では、任意の範囲に含まれる項目をより効率的に選択することを可能とし、これによりユーザの操作性を向上させる電子機器１０について具体的に説明する。
【００１８】
電子機器１０は、選択可能な複数の項目がディスプレイ１４２に表示されている状態で、一定の範囲に含まれる項目の全てを選択することを可能とする。（１）ユーザが項目を選択する操作をすると、項目が選択された状態を示す表示がなされ、ユーザが選択した項目が記憶される。（２）電子機器１０は、ある項目（第１の項目）が選択状態にある場合に、ユーザが別の項目（第２の項目）を選択する際の、ユーザの入力操作に応じて、単一の項目のみ（第２の項目のみ）を選択するか、一定の範囲に含まれる項目の全て（第１の項目と第２の項目との間にある各項目と、第２の項目）を選択するかを切り替える。
【００１９】
以下の実施形態の説明では、ユーザが別の項目（第２の項目）を選択する際の、項目を指定し続ける時間（入力受付部１４１に接触または近接し続ける時間）が予め設定された一定時間に満たない場合は、選択状態を切り替える項目を、ユーザが指定した項目のみとする。また、ユーザが別の項目（第２の項目）を指定し続ける時間が一定時間を超える場合は、選択状態を切り替える項目を、第１の項目と第２の項目との間に配置される各項目および第２の項目とする。なお、項目が１画面に収まりきらず、スクロール等で複数画面にまたがる場合も、同様に第２の項目を指定し続ける時間に応じた項目選択処理を行う。
【００２０】
図１（Ａ）に示すように、電子機器１０は、正面に入力受付部１４１（タッチパネル）と、ディスプレイ１４２とを備える。電子機器１０の筐体に、ディスプレイ１４２と、入力受付部１４１（タッチパネル）と、カバーガラスとが積層されてはめ込まれている。なお、この構成は、液晶パネルとタッチパネルとが一体となったインセル型のディスプレイであってもよいし、カバーガラスとタッチパネルとが一体となったカバーガラス一体型のタッチパネルであってもよい。入力受付部１４１（タッチパネル）は、ユーザの指やスタイラスペンなどが接触していることまたは近接していることを検出する。ディスプレイ１４２は、描画のための信号に基づき、アイコン、静止画、動画、受信したメールデータの一覧、および映像などを表示する。スピーカ１４８は、音声を出力する。物理操作キー１３１は、物理的な入力部材であり、ユーザが入力部材を押下する操作を検出して入力操作として受け付ける。
【００２１】
図１（Ｂ）に示すように、電子機器１０は、アンテナ１０１と、無線通信部１１１と、物理操作キー１３１と、加速度センサ１３２と、入力受付部１４１と、ディスプレイ１４２と、電源制御部１４４と、バッテリ１４５と、音声処理部１４６と、マイク１４７と、スピーカ１４８と、記憶部１５０と、制御部１６０とを含む。
【００２２】
アンテナ１０１は、電子機器１０が発する信号を電波として放射する。また、アンテナ１０１は、空間から電波を受信して受信信号を無線通信部１１１へ与える。本実施形態では、電子機器１０は、複数の無線通信規格に対応している。通信方式として、Ｗ−ＣＤＭＡ（Wideband  Code  Division  Multiple  Access）、ＬＴＥ（Long  Term  Evolution）、その他の通信方式がある。また、電子機器１０は、ＩＥＥＥ（Institute  of  Electrical  and  Electronic  Engineers）８０２．１１などの無線ＬＡＮ規格にも対応する。
【００２３】
無線通信部１１１は、電子機器１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１０が送受信する無線信号の変復調や周波数変換を行い、受信信号を制御部１６０へ与える。
【００２４】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００２５】
加速度センサ１３２は、電子機器１０の傾きを、重力方向の加速度として検出するためのセンサであり、例えば３軸加速度センサである。加速度センサ１３２は、検出した３軸の加速度を制御部１６０へ出力する。
【００２６】
記憶部１５０は、例えばフラッシュメモリ等により構成され、電子機器１０が使用するデータおよびプログラムを記憶する。記憶部１５０は、ユーザによって選択される対象となる、複数件のデータを記憶する。例えば、ユーザによって選択される対象となるデータとは、画像ファイル、電話帳データおよびメールデータその他のデータである。これらのデータは、ユーザが電子機器１０を使用して動作させることに伴って、逐次、記憶部１５０に蓄積されるデータでもある。ある局面において、記憶部１５０は、画像ファイル１５１と、電話帳データ１５２と、メールデータ１５３とを記憶する。画像ファイル１５１は、カメラ機能等によって生成された画像、通信回線を経由して受信した画像その他の画像である。電話帳データ１５２は、他のユーザの電話番号、メールアドレスその他の情報をユーザごとに対応付けたデータである。メールデータ１５３は、電子機器１０が通信機能により他の端末から受信するメールのデータである。
【００２７】
入力受付部１４１は、入力受付領域を備え、入力受付領域に対するユーザの指やスタイラスペンなどのタッチ操作を受け付けて、タッチ操作が行われた位置を検出する。本実施形態では、入力受付部１４１は、ユーザの指やスタイラスペンなどの接触または近接を検出することで、入力受付領域に対するタッチ操作を受け付ける。入力受付部１４１は、例えば静電容量方式のものを用いることによって、ユーザの操作を受け付ける。入力受付部１４１は、ユーザが指定する位置を示す信号を制御部１６０へ出力することで、ユーザの入力操作を受け付ける。
【００２８】
ディスプレイ１４２は、制御部１６０の制御に応じて、画像ファイルの一覧、受信したメールの一覧、電話帳データ１５２に含まれる各レコード、および操作画面などを表示する。ディスプレイ１４２は、例えばＬＣＤ（Liquid  Crystal  Display）や有機ＥＬ（Electro-Luminescence）ディスプレイによって実現される。
【００２９】
電源制御部１４４は、電子機器１０の各回路に対する電力の供給を制御する。電源制御部１４４は、例えば電源制御用ＩＣ（Integrated  Circuit）である。
【００３０】
バッテリ１４５は、電子機器１０の各回路を動作させるための電力を供給する供給源である。バッテリ１４５からの電力は、電源制御部１４４の制御に従って各回路へ供給される。
【００３１】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。
【００３２】
マイク１４７は、音声入力を受け付けて、当該音声入力に対応する音声信号を音声処理部１４６へ与える。
【００３３】
スピーカ１４８は、音声処理部１４６から与えられる音声信号を音声に変換して当該音声を電子機器１０の外部へ出力する。
【００３４】
制御部１６０は、記憶部１５０に記憶される制御プログラムを読み込んで、当該制御プログラムに含まれる命令を実行することにより、電子機器１０の動作を制御する。制御部１６０は、例えばアプリケーションプロセッサである。制御部１６０は、プログラムに従って動作することにより、項目表示部１６１と、選択状態変更部１６３と、選択状態表示部１６４としての各機能を発揮する。
【００３５】
項目表示部１６１は、画像ファイル１５１に含まれる画像データ、電話帳データ１５２に含まれる連絡先、メールデータ１５３に含まれる、受信したメールデータなど、選択対象となる複数の項目を順に配置してディスプレイ１４２に表示させる。
【００３６】
選択状態変更部１６３は、項目表示部１６１によってディスプレイ１４２に表示される複数の項目のそれぞれについて、これらの項目を指定する入力操作を入力受付部１４１によって受け付ける都度、ユーザによって指定された項目を、選択状態とするか非選択状態とするかを切り替える。制御部１６０は、これら項目のそれぞれについて、選択状態であるか非選択状態であるかを対応付けて記憶部１５０に記憶させている。選択状態変更部１６３は、項目表示部１６１によってディスプレイ１４２に表示されている複数の項目のうち、いずれかの項目（第１の項目）が選択状態である場合に、別の項目（第２の項目）を指定する入力操作を入力受付部１４１の出力に基づき検出すると、入力受付部１４１に対して第２の項目を指定する入力操作がなされる時間をカウントし、カウントした期間が一定時間を超えるか（長押し操作であるか）、または一定時間に満たないものであるか（タップ操作であるか）を判定する。選択状態変更部１６３は、この第２の項目を指定する入力操作がなされる時間に基づく判定結果に応じて、第２の項目を指定する時間が一定時間を超える（長押し操作である場合）と、第１の項目と第２の項目との間に配置される項目と第２の項目とを選択状態とする。また、選択状態変更部１６３は、第２の項目を指定する時間が一定時間に満たない場合（タップ操作である場合）に、第２の項目を選択状態とする。すなわち、選択状態変更部１６３は、第２の項目を指定する入力操作がなされる時間が一定時間を超えるか否かの判定結果に応じて、選択状態または非選択状態を切り替える対象となる項目を、第２の項目のみとするか、または、第１の項目と第２の項目との間に配置される項目および第２の項目とする。
【００３７】
選択状態表示部１６４は、ディスプレイ１４２に表示される複数の項目のそれぞれが選択状態であるか非選択状態であるかをユーザが区別して視認できるようにして、複数の項目それぞれをディスプレイ１４２に表示させる。例えば、複数の項目それぞれとともにチェックボックスがディスプレイ１４２に表示されている場合、制御部１６０は、選択状態であればチェックボックスがチェックされている態様で表示をし、非選択状態であればチェックボックスがチェックされていない態様で表示をする。
【００３８】
＜動作＞
図２と図３とを参照して、実施の形態１の電子機器１０における項目選択処理を説明する。
【００３９】
図２は、電子機器１０が、選択可能な項目をディスプレイ１４２に複数表示して、それぞれの項目の選択をユーザから受け付ける処理を示すフローチャートである。電子機器１０は、例えば、記憶部１５０に記憶される画像ファイル１５１（複数の画像ファイル）に対し、画像の加工、削除、その他の操作を行うために画像ファイルの選択を開始する指示をユーザから入力受付部１４１によって受け付けることにより、図２に示す処理を実行する。
【００４０】
ステップＳ１０１において、制御部１６０は、選択可能な項目を、昇順または降順など一定の順に並べてディスプレイ１４２に表示させる。例えば、制御部１６０は、複数の画像ファイルを、各画像ファイルが選択可能であることをユーザが視認できるようにチェックボックス等とともに、画像ファイルが生成された時刻やファイル名などに基づいて昇順にディスプレイ１４２に並べて表示する。
【００４１】
ステップＳ１０３において、制御部１６０は、入力受付部１４１に対してユーザが指定する位置の検出結果に基づいて、ユーザがタップ操作をした位置に項目が表示されている場合は項目を指定する操作として受け付け、そうでない場合は、項目を指定する操作ではないその他の操作（例えば、入力受付部１４１に対してユーザが指をはじくように操作するフリック操作や、入力受付部１４１に対してユーザが指を接触させて移動させる、画面のスクロールのための操作などがある）として受け付ける。制御部１６０は、項目を指定する操作を受け付けた場合（ステップＳ１０３において、“項目を指定する操作”）、ステップＳ１０７の処理を行い、そうでない場合（ステップＳ１０３において、“その他の操作”）、ステップＳ１０５の処理を行う。
【００４２】
ステップＳ１０５において、制御部１６０は、入力受付部１４１に対するユーザの入力操作に応じた処理を行う。例えば、制御部１６０は、ディスプレイ１４２に表示される操作画面をスクロールさせる処理、メニュー画面を呼び出す処理その他の処理を行う。制御部１６０は、再びステップＳ１０３の処理を繰り返す。
【００４３】
ステップＳ１０７において、制御部１６０は、ユーザが指定した項目について、項目が選択されていることを示す選択状態であることがユーザに視認できるよう、ディスプレイ１４２の表示を変更する。
【００４４】
ステップＳ１０９において、制御部１６０は、ディスプレイ１４２に表示される複数の項目のうち、ステップＳ１０３およびステップＳ１０７で選択状態とした項目がいずれであるかを記憶部１５０に記憶させる。すなわち、制御部１６０は、複数の項目のうち、ユーザが選択した項目がどの項目かを記憶部１５０に記憶させる。
【００４５】
ステップＳ１２１において、制御部１６０は、入力受付部１４１に対してユーザが指定する位置の検出結果に基づいて、ユーザの入力操作が、項目をタップする操作であるか、項目を長押しする操作であるか、またはその他の操作であるかを判別する。制御部１６０は、ユーザが指定した位置に項目が表示されている場合に、ユーザがその項目を指定し続ける入力操作が一定時間を超えてなされると、入力操作「項目への長押し操作」と判別し、項目を指定し続ける入力操作が一定時間に満たないものであると、入力操作「項目へのタップ操作」と判別し、ユーザが指定した位置に項目が表示されていない場合は、入力操作「その他の操作」であると判別する。制御部１６０は、ユーザの入力操作の判別結果が、項目をタップする操作である場合（ステップＳ１２１において“項目へのタップ操作”）、ステップＳ１２５の処理を行い、項目を長押しする操作である場合（ステップＳ１２１において“項目への長押し操作”）、ステップＳ１２７の処理を行い、その他の操作である場合（ステップＳ１２１において“その他の操作”）、ステップＳ１２３の処理を行う。
【００４６】
ステップＳ１２３において、制御部１６０は、入力受付部１４１に対するユーザの入力操作に応じた処理を行う。
【００４７】
ステップＳ１２５において、制御部１６０は、ユーザがタップ操作によって指定した項目を、選択状態または非選択状態に切り替える。すなわち、制御部１６０は、ユーザがタップ操作によって指定した項目が選択状態であれば、その項目を非選択状態にする。また、制御部１６０は、ユーザがタップ操作によって指定した項目が非選択状態であれば、その項目を選択状態にする。
【００４８】
ステップＳ１２７において、制御部１６０は、長押し操作がなされた項目を選択状態とし、長押しされた項目と、既に選択状態にある項目との間にある項目についても選択状態とする。
【００４９】
ステップＳ１２９において、制御部１６０は、ステップＳ１２５またはステップＳ１２７の処理の結果に応じて、選択状態である項目がいずれであるかを記憶部１５０に記憶させる。
【００５０】
＜実施の形態１の画面の表示例＞
図３を参照して、実施の形態１の電子機器１０が図２に示す処理を行う場合の画面の表示例を説明する。
【００５１】
図３は、実施の形態１の電子機器１０において、選択可能な複数の項目をディスプレイ１４２に表示して、各項目の選択をユーザから受け付ける画面の表示例を示す図である。
【００５２】
図３（Ａ）は、選択可能な複数の項目がディスプレイ１４２に表示されている例を示す。電子機器１０は、選択可能な複数の項目として、第１項目２０１、第２項目２０２、第３項目２０３、第４項目２０４、第５項目２０５および第６項目２０６をディスプレイ１４２に表示している。この処理は、図２のステップＳ１０１に対応する。
【００５３】
図３（Ｂ）は、ユーザが第２項目２０２に対しタップ操作をする例を示す。この処理は、図２のステップＳ１０３に対応する。
【００５４】
図３（Ｃ）は、ユーザによって指定された項目である第２項目２０２が、選択状態にあることをユーザが視認できる態様で制御部１６０がディスプレイ１４２の表示を変更する例を示す。この処理は、図２のステップＳ１０７に対応する。図３（Ｃ）の例では、第２項目２０２のチェックボックスをオンにする表示をすることで、第２項目２０２が選択状態にあることを示している。
【００５５】
図３（Ｄ）は、既にいずれかの項目が選択状態にある場合に、ユーザがいずれかの項目を指定する操作を行っている例を示す図である。図３（Ｄ）の例では、第２項目２０２が選択状態にあり、ユーザが第５項目２０５を指定する入力操作を入力受付部１４１に対して行っている。この処理は、図２のステップＳ１２１に対応する。図３（Ｄ）の例において、ユーザが第５項目２０５に対してタップ操作を行った場合（図２のステップＳ１２１において“項目へのタップ操作”）、図３（Ｅ）に示す処理が行われる。また、図３（Ｄ）の例において、ユーザが第５項目２０５に対して長押し操作を行った場合（図２のステップＳ１２１において“項目への長押し操作”）、図３（Ｆ）に示す処理が行われる。
【００５６】
図３（Ｅ）は、項目へのタップ操作により、複数の項目のうちユーザが指定した第５項目２０５のみが非選択状態から選択状態へと切り替わる処理の表示例を示す。この処理は、図２のステップＳ１２５に対応する。
【００５７】
図３（Ｆ）は、項目への長押し操作により、複数の項目のうち既に選択済みの項目と、ユーザが指定した項目との間の項目、および、ユーザが指定した項目が非選択状態から選択状態へと切り替わる処理の表示例を示す。この処理は、図２のステップＳ１２７に対応する。
【００５８】
＜実施の形態１のまとめ＞
このように、実施の形態１の電子機器１０によると、図３（Ｄ）および図３（Ｆ）に示すように、２つの項目を指定する操作により、ある一定の範囲の項目（第２項目２０２〜第５項目２０５）を選択状態とすることができる。ユーザは、これら一定の範囲の項目すべてを指定する操作をすることなく、少なくとも２回の指定をする操作により、一定の範囲の項目を選択することができる。
【００５９】
＜実施の形態２＞
実施の形態２の電子機器について説明する。例えば、選択対象となる各項目が、メールの受信履歴に含まれるそれぞれのメールであるとする。ユーザは、これら複数件のメールを選択し、まとめて削除する、別のフォルダへ移動させるなどの処理を行うことがある。
【００６０】
図４は、実施の形態２の電子機器１０がメールの受信履歴に示される複数件のメールそれぞれに対する選択を受け付ける処理の画面例を示す図である。
【００６１】
図４（Ａ）は、電子機器１０が受信した各メールの履歴をディスプレイ１４２に表示して、受信した各メールの選択をユーザから受け付ける画面の表示例を示す。電子機器１０は、選択可能な複数の項目として、第１のメールデータ２１１、第２のメールデータ２１２、第３のメールデータ２１３、第４のメールデータ２１４および第５のメールデータ２１５をディスプレイ１４２に表示している。この処理は、図２のステップＳ１０１に対応する。また、電子機器１０は、選択したメールに対する操作を受け付けるため、削除操作用ボタン２２２をディスプレイ１４２に表示している。削除操作用ボタン２２２は、ユーザが選択した１以上の項目（メール）を削除する操作を受け付けるためのボタンである。バック操作用ボタン２２１は、メニュー画面など操作画面を切り替えるための操作を受け付けるためのボタンである。
【００６２】
図４（Ｂ）は、ユーザが第２のメールデータ２１２に対しタップ操作をする例を示す。この処理は、図２のステップＳ１０３に対応する。
【００６３】
図４（Ｃ）は、ユーザによって指定された項目である第２のメールデータ２１２が選択状態にあることを、チェックボックスをオンにしてユーザが視認できる態様で電子機器１０がディスプレイ１４２に表示し、また、ユーザが別の項目として第４のメールデータ２１４を指定する操作を行っている例を示す図である。この処理は、図２のステップＳ１０７、ステップＳ１０９、およびステップＳ１２１に対応する。
【００６４】
図４（Ｄ）は、第４のメールデータ２１４へのユーザの長押し操作により、複数の項目のうち、既に選択済みの項目である第２のメールデータ２１２とユーザが指定した項目である第４のメールデータ２１４との間の項目（第３のメールデータ２１３）と、ユーザが指定した項目である第４のメールデータ２１４と、を非選択状態から選択状態へと切り替える処理の表示例を示す図である。この処理は、図２のステップＳ１２７に対応する。
【００６５】
図４（Ｅ）は、このようにして選択された複数の項目（メールデータ）に対し、これら項目に対応するメールを削除する操作を削除操作用ボタン２２２によってユーザから受け付ける処理の画面例を示す図である。すなわち、図４（Ｃ）および図４（Ｄ）に示すように、電子機器１０は、第２のメールデータ２１２へのタップ操作と第４のメールデータ２１４への長押し操作とによって選択状態となった第２のメールデータ２１２、第３のメールデータ２１３および第４のメールデータ２１４を削除する操作を削除操作用ボタン２２２によって受け付ける。
【００６６】
図４（Ｆ）は、ユーザの操作によって選択状態となったメールを削除した後の画面の表示例を示す図である。第２のメールデータ２１２、第３のメールデータ２１３および第４のメールデータ２１４のメールが削除された結果、電子機器１０は、非選択状態である第１のメールデータ２１１と第５のメールデータ２１５とをディスプレイ１４２に表示している。
【００６７】
＜実施の形態２のまとめ＞
実施の形態２の電子機器１０によると、ユーザは、電子機器１０が受信したメールを１つ１つ指定する操作をすることなく、少なくとも２つのメールを指定する操作をすることで、一定の範囲内のメールを選択することができる。そのため、実施の形態２の電子機器１０によると、複数のメールを削除する操作等が容易になる。
【００６８】
＜実施の形態３＞
実施の形態３の電子機器について説明する。例えば、実施の形態１で選択対象となる各項目が、画像フォルダに格納された個々の画像ファイルであるとする。
【００６９】
図５は、実施の形態３の電子機器１０が複数の画像ファイルのサムネイルをディスプレイ１４２に表示して、画像ファイルの選択をユーザから受け付ける処理の画面例を示す図である。
【００７０】
より詳細には、図５（Ａ）は、電子機器１０が記憶部１５０に記憶している各画像ファイルのサムネイルをディスプレイ１４２に表示して、各画像ファイルを選択する操作をユーザから受け付ける画面の表示例を示す。電子機器１０は、選択可能な複数の項目として、第１の画像ファイル２３１、第２の画像ファイル２３２、第３の画像ファイル２３３、第４の画像ファイル２３４、第５の画像ファイル２３５、第６の画像ファイル２３６、第７の画像ファイル２３７、第８の画像ファイル２３８および第９の画像ファイル２３９のサムネイル画像をディスプレイ１４２に表示している。この処理は、図２のステップＳ１０３、ステップＳ１０７およびステップＳ１０９に対応する。また、電子機器１０は、選択した画像ファイルに対する操作を受け付けるため、削除操作用ボタン２２２をディスプレイ１４２に表示している。電子機器１０は、ディスプレイ１４２に表示されるこれら画像ファイルのサムネイルに対し、第２の画像ファイル２３２を指定するタップ操作をユーザから受け付けている。
【００７１】
図５（Ｂ）は、第７の画像ファイル２３７を指定する操作をユーザから受け付けている処理の画面例を示す図である。この処理は、図２のステップＳ１２１に対応する。図５（Ｂ）の例において、ユーザが第７の画像ファイル２３７に対してタップ操作を行った場合（図２のステップＳ１２１において“項目へのタップ操作”）、図５（Ｃ）に示す処理が行われる。また、図５（Ｂ）の例において、ユーザが第７の画像ファイル２３７に対して長押し操作を行った場合（図２のステップＳ１２１において“項目への長押し操作”）、図５（Ｄ）に示す処理が行われる。
【００７２】
図５（Ｃ）は、第７の画像ファイル２３７に対するタップ操作により、第７の画像ファイル２３７が非選択状態から選択状態へと切り替わる処理の表示例を示す。この処理は、図２のステップＳ１２５に対応する。
【００７３】
図５（Ｄ）は、第７の画像ファイル２３７に対する長押し操作により、複数の画像ファイルのうち、既に選択済みの第２の画像ファイル２３２と、長押し操作の対象となった第７の画像ファイル２３７との間の画像ファイルそれぞれ（第３の画像ファイル２３３、第４の画像ファイル２３４、第５の画像ファイル２３５および第６の画像ファイル２３６）と、長押し操作の対象となった第７の画像ファイル２３７とが、非選択状態から選択状態へと切り替わる。
【００７４】
図５（Ｅ）は、図５（Ｃ）に示す状態において、ユーザから削除操作用ボタン２２２に対する入力操作を受け付けることにより、選択状態にある第２の画像ファイル２３２および第７の画像ファイル２３７を削除した処理の画面例を示す図である。
【００７５】
図５（Ｆ）は、図５（Ｄ）に示す状態において、ユーザから削除操作用ボタン２２２に対する入力操作を受け付けることにより、選択状態にある第２の画像ファイル２３２、第３の画像ファイル２３３、第４の画像ファイル２３４、第５の画像ファイル２３５、第６の画像ファイル２３６および第７の画像ファイル２３７を削除した処理の画面例を示す図である。
【００７６】
＜実施の形態３のまとめ＞
実施の形態３の電子機器１０によると、ユーザは、電子機器１０が記憶する画像ファイルを１つ１つ指定する操作をすることなく、少なくとも２つの画像ファイルを指定する操作をすることで、一定の範囲内の画像ファイルを選択することができる。そのため、実施の形態３の電子機器１０によると、複数の画像ファイルを削除する操作等が容易になる。また、電子機器１０がカメラ機能を備える場合、カメラ機能によって画像ファイルが逐次生成され、電子機器１０が記憶可能な記憶容量を逼迫することがある。このような場合においても、複数の画像ファイルを一度に選択することで、ユーザは、画像ファイルの削除や外部のサーバへの画像ファイルの送信などを容易にすることができる。また、複数の画像ファイルを、ＳＮＳ（Social  Network  Service）サイト等へ投稿する際に、ユーザは、これら複数の画像ファイルの選択を容易にすることができる。
【００７７】
＜まとめ＞
以上のように、各実施の形態の電子機器について説明した。
【００７８】
（１）各実施形態の説明では、２つの項目を指定し、２回目の項目の選択時に、ユーザがタップ操作によって項目を選択するか、長押し操作によって項目を選択するかによって、項目そのもののみを選択状態とするか、一定の範囲に含まれる項目全てを選択状態とするかを切り替えている。
【００７９】
（２）この他に、２つ以上の項目が選択されている状態において、ユーザが新たに項目を選択した場合においても、既に選択済みの項目と、ユーザが新たに選択した項目との間の一定の範囲の項目を選択状態としてもよい。例えば、既に選択されている項目がいずれであるかを電子機器１０が記憶部１５０において管理しておき、新たに選択した項目が長押し操作された場合に、複数の項目のうち、既に選択済みの項目と、新たに選択された項目との間にある項目を特定し、特定された項目を選択状態とするか非選択状態のままとするかを切り替えることとしてもよい。
【００８０】
（３）また、ユーザが指定した項目を選択状態とするだけでなく、予め全ての項目が選択状態となっている場合に、ユーザが第１の項目を非選択状態とし、第１の項目とは異なる第２の項目をタップ操作により指定するか、長押し操作により指定するかによって、第２の項目のみを非選択状態に切り替えるか、第１の項目と第２の項目との間にある項目および第２の項目を非選択状態に切り替えることとしてもよい。
【００８１】
（４）各実施形態で説明した電子機器１０によると、例えばメールデータや画像ファイルといった同種のファイルをディスプレイ１４２に複数並べて表示する例を説明したが、本実施形態で説明した項目選択方法は、同種のファイルに限られず、異なるファイルが混在する際にも適用することができる。例えば、ファイルを格納するフォルダに、画像ファイル、文書ファイル、動画ファイルなど複数種類のファイルが、例えば更新日付順や名前順に整列して配置されている状態で、ユーザが２つのファイルを順に指定し、２つ目のファイルの選択時に、ユーザが長押し操作をすることで、一定の範囲に含まれるファイル全てを選択状態としてもよい。
【００８２】
本開示の電子機器は、プロセッサと、その上で実行されるプログラムにより実現される。本開示に示される動作を実現するプログラムは、通信インタフェースを介してネットワークを利用した送受信等により提供される。
【００８３】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００８４】
１０  電子機器、１３１  物理キー、１４１  入力受付部、１４２  ディスプレイ、１４８  スピーカ。
【図１】
2016048445.tif 000003
【図２】
2016048445.tif 000004
【図３】
2016048445.tif 000005
【図４】
2016048445.tif 000006
【図５】
2016048445.tif 000007